(57)【要約】【課題】高生産性の有機電界発光素子、照明装置及び照明システムを提供する。【解決手段】実施形態によれば、有機電界発光素子は、第１電極と、第２電極と、有機発光層と、絶縁層と、を含む。前記第１電極は、光透過性である。前記第２電極は、第１方向において前記第１電極と離間する。前記第２電極は、複数の導電部を含む。前記複数の導電部は、前記第１方向と交差する第２方向に延び、前記第１方向及び前記第２方向と交差する第３方向に離間して並ぶ。前記有機発光層は、前記第１電極と前記第２電極との間に設けられる。前記絶縁層は、前記第１電極と前記有機発光層との間に設けられる。前記絶縁層は、複数の絶縁部を含む。前記複数の絶縁部は、前記第２方向及び前記第３方向に平行な平面と平行で前記第２方向に対して傾斜する第４方向に延び、前記平面と平行で前記第４方向と交差する第５方向に離間して並ぶ。【選択図】図１
2016062859.tif 000002
【特許請求の範囲】
【請求項１】
光透過性の第１電極と、
第１方向において前記第１電極と離間した第２電極であって、前記第１方向と交差する第２方向に延び、前記第１方向及び前記第２方向と交差する第３方向に離間して並ぶ複数の導電部を含む第２電極と、
前記第１電極と前記第２電極との間に設けられた有機発光層と、
前記第１電極と前記有機発光層との間に設けられた絶縁層であって、前記第２方向及び前記第３方向に平行な平面と平行で前記第２方向に対して傾斜する第４方向に延び、前記平面と平行で前記第４方向と交差する第５方向に離間して並ぶ複数の絶縁部を含む絶縁層と、
を備えた有機電界発光素子。
【請求項２】
前記第２方向と前記第４方向との間の角度は、５度以上８５度以下である請求項１記載の有機電界発光素子。
【請求項３】
前記複数の導電部は、第１導電部と、第２導電部と、を含み、
前記複数の絶縁部は、第１絶縁部と、第２絶縁部と、を含み、
前記第１絶縁部の前記第５方向における幅の中心と、前記第２絶縁部の前記第５方向における幅の中心との間の距離をＰｔ１とし、
前記第１導電部の前記第３方向における幅の中心と、前記第２絶縁部の前記第３方向における幅の中心との間の距離をＰｔ２とし、
前記第２方向と前記第５方向との間の角度をθ１としたときに、
Ｐｔ１／ｃｏｓθ１≦Ｐｔ２・ｔａｎθ１
である請求項１または２に記載の有機電界発光素子。
【請求項４】
前記複数の導電部は、第１導電部と、第２導電部と、を含み、
前記複数の絶縁部は、第１絶縁部と、第２絶縁部と、を含み、
前記第１絶縁部の前記第５方向における中心と、前記第２絶縁部の前記第５方向における中心との間の距離をＰｔ１とし、
前記第１導電部の前記第３方向における中心と、前記第２導電部の前記第３方向における中心との間の距離をＰｔ２とし、
前記第２方向と前記第５方向との間の角度をθ１としたときに、
Ｐｔ２≧Ｐｔ１
Ｐｔ１／ｃｏｓθ１−Ｐｔ２・ｔａｎθ１≦Ｐｔ２
である請求項１または２に記載の有機電界発光素子。
【請求項５】
前記第１電極と電気的に接続された複数の補助配線部をさらに備え、
前記複数の補助配線部のそれぞれは、前記第１電極と、前記複数の絶縁部のそれぞれとの間に設けられている請求項１〜４のいずれか１つに記載の有機電界発光素子。
【請求項６】
前記第１電極は、第１端と、前記第２方向及び前記第３方向において前記第１端と離間した第２端と、を含み、
前記第２方向と前記第５方向との間の角度をθ１とし、
前記第１端と前記第２端とを結ぶ線分と、前記第３方向との間の角度をθ２としたときに、
５度≦θ１≦θ２
である請求項５記載の有機電界発光素子。
【請求項７】
前記第１電極及び前記複数の補助配線部と電気的に接続された第１パッド部と、
前記第２電極と電気的に接続された第２パッド部と、
をさらに備え、
前記第１パッド部は、第１配線と、前記第３方向において前記第１配線と離間した第２配線と、を含み、
前記第２パッド部は、第３配線と、前記第２方向において前記第３配線と離間した第４配線と、を含み、
前記第１配線と前記第２配線との間、及び、前記第３配線と前記第４配線との間に前記第１電極が設けられている請求項５または６に記載の有機電界発光素子。
【請求項８】
前記第１電極と電気的に接続された複数の補助配線部と、
前記第１電極及び前記複数の補助配線部と電気的に接続された第１パッド部と、
前記第２電極と電気的に接続された第２パッド部と、
をさらに備え、
前記複数の補助配線部のそれぞれは、前記第１電極と、前記複数の絶縁部のそれぞれとの間に設けられ、
前記第１パッド部は、第１配線と、前記第３方向において前記第１配線と離間した第２配線と、を含み、
前記第２パッド部は、第３配線と、前記第２方向において前記第３配線と離間した第４配線と、を含み、
前記第１電極は、第１端と、前記第２方向及び前記第３方向において前記第１端と離間した第２端と、を含み、
前記第１配線と前記第２配線との間、及び、前記第３配線と前記第４配線との間に前記第１電極が設けられ、
前記第１端と前記第２端とを結ぶ線分と、前記第３方向との間の角度をθ２としたときに、
５度≦θ１≦θ２
である請求項３または４に記載の有機電界発光素子。
【請求項９】
前記第２電極は、前記複数の導電部のそれぞれと交差する複数の交差導電部をさらに含む請求項１〜８のいずれか１つに記載の有機電界発光素子。
【請求項１０】
前記有機発光層は、前記複数の絶縁部のそれぞれの間に位置し前記第１電極の一部の上に設けられた第１部分と、前記複数の絶縁部のそれぞれの上に設けられた第２部分と、を含み、
前記第１部分は、前記複数の導電部のそれぞれと重なる第１領域と、前記複数の導電部のそれぞれの間に位置し前記複数の導電部のそれぞれと重ならない第２領域と、を含み、
前記第２部分は、前記複数の導電部のそれぞれと重なる第３領域と、前記複数の導電部のそれぞれの間に位置し前記複数の導電部のそれぞれと重ならない第４領域と、を含む請求項１〜９のいずれか１つに記載の有機電界発光素子。
【請求項１１】
光透過性の第１電極と、
第１方向において前記第１電極と離間した第２電極であって、前記第１方向と交差する第２方向に延び、前記第１方向及び前記第２方向と交差する第３方向に離間して並ぶ複数の導電部を含む第２電極と、
前記第１電極と前記第２電極との間に設けられた有機発光層と、
前記第１電極と前記有機発光層との間に設けられ、前記第２方向及び前記第３方向に平行な平面と平行で前記第２方向に対して傾斜する第４方向に延び、前記平面と平行で前記第４方向と交差する第５方向に離間して並ぶ複数の補助配線部と、
を備えた有機電界発光素子。
【請求項１２】
前記第１電極及び前記複数の補助配線部と電気的に接続された第１パッド部と、
前記第２電極と電気的に接続された第２パッド部と、
をさらに備え、
前記第１パッド部は、第１配線と、前記第３方向において前記第１配線と離間した第２配線と、を含み、
前記第２パッド部は、第３配線と、前記第２方向において前記第３配線と離間した第４配線と、を含み、
前記第１電極は、第１端と、前記第２方向及び前記第３方向において前記第１端と離間した第２端と、を含み、
前記第１配線と前記第２配線との間、及び、前記第３配線と前記第４配線との間に前記第１電極が設けられ、
前記第２方向と前記第５方向との間の角度をθ１とし、
前記第１端と前記第２端とを結ぶ線分と、前記第３方向との間の角度をθ２としたときに、
５度≦θ１≦θ２
である請求項１１記載の有機電界発光素子。
【請求項１３】
請求項１〜１２のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項１４】
請求項１〜１２のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
有機電界発光素子において、第１電極（陽極）と第２電極（陰極）との間に有機発光層が設けられる。これらの電極間に電圧を印加することにより、有機発光層から光が放出される。有機電界発光素子を光源として用いた照明装置がある。複数の有機電界発光素子と、複数の有機電界発光素子を制御する制御部と、を含む照明システムがある。有機電界発光素子においては、生産性の向上が望まれている。
【先行技術文献】
【特許文献】
【０００３】
【特許文献１】特開２０１１−２１６３１７号公報
【発明の概要】
【発明が解決しようとする課題】
【０００４】
本発明の実施形態は、高生産性の有機電界発光素子、照明装置及び照明システムを提供する。
【課題を解決するための手段】
【０００５】
本発明の実施形態によれば、有機電界発光素子は、第１電極と、第２電極と、有機発光層と、絶縁層と、を含む。前記第１電極は、光透過性である。前記第２電極は、第１方向において前記第１電極と離間する。前記第２電極は、複数の導電部を含む。前記複数の導電部は、前記第１方向と交差する第２方向に延び、前記第１方向及び前記第２方向と交差する第３方向に離間して並ぶ。前記有機発光層は、前記第１電極と前記第２電極との間に設けられる。前記絶縁層は、前記第１電極と前記有機発光層との間に設けられる。前記絶縁層は、複数の絶縁部を含む。前記複数の絶縁部は、前記第２方向及び前記第３方向に平行な平面と平行で前記第２方向に対して傾斜する第４方向に延び、前記平面と平行で前記第４方向と交差する第５方向に離間して並ぶ。
【図面の簡単な説明】
【０００６】
【図１】第１の実施形態に係る有機電界発光素子を例示する模式的平面図である。
【図２】図２（ａ）及び図２（ｂ）は、第１の実施形態に係る有機電界発光素子を例示する模式的断面図である。
【図３】第１の実施形態に係る有機電界発光素子の一部を例示する模式的断面図である。
【図４】図４（ａ）及び図４（ｂ）は、有機電界発光素子の一部を例示する模式的平面図である。
【図５】第２の実施形態に係る有機電界発光素子の一部を例示する模式的平面図である。
【図６】第３の実施形態に係る有機電界発光素子の一部を例示する模式的平面図である。
【図７】第４の実施形態に係る有機電界発光素子を例示する模式的平面図である。
【図８】第４の実施形態に係る有機電界発光素子を例示する模式的断面図である。
【図９】実施形態に係る別の第２電極を例示する模式的平面図である。
【図１０】第５の実施形態に係る有機電界発光素子を例示する模式的平面図である。
【図１１】第６の実施形態に係る照明装置を例示する模式的断面図である。
【図１２】図１２（ａ）及び図１２（ｂ）は、第７の実施形態に係る照明システムを例示する模式図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１は、第１の実施形態に係る有機電界発光素子を例示する模式的平面図である。  
図２（ａ）及び図２（ｂ）は、第１の実施形態に係る有機電界発光素子を例示する模式的断面図である。  
図２（ａ）は、図１のＡ１−Ａ２線断面図である。  
図２（ｂ）は、図１のＢ１−Ｂ２線断面図である。  
【０００９】
実施形態に係る有機電界発光素子１１０は、積層体ＳＢを含む。積層体ＳＢは、第１電極１０と、第２電極２０と、有機発光層３０と、絶縁層４０と、を含む。
【００１０】
第１電極１０は、上面１０ａを有する。第１電極１０は、光透過性を有する。第１電極１０は、例えば、透明電極である。
【００１１】
ここで、上面１０ａに対して垂直な方向をＺ軸方向とする。上面１０ａに対して平行な１つの方向をＸ軸方向とする。Ｘ軸方向及びＺ軸方向に対して垂直な方向をＹ軸方向とする。Ｘ軸方向及びＹ軸方向は、上面１０ａに対して平行である。Ｘ軸方向及びＹ軸方向は、Ｚ軸方向に対して垂直な方向である。Ｚ軸方向は、第１電極１０の厚さ方向に相当する。
【００１２】
第２電極２０は、例えば、光反射性を有する。第２電極２０の光反射率は、第１電極１０の光反射率よりも高い。本願明細書においては、第１電極１０の光反射率よりも高い光反射率を有している状態を光反射性という。第２電極２０は、第１方向において第１電極１０と離間する。第２電極２０は、複数の導電部２０ａを含む。複数の導電部２０ａのそれぞれは、第２方向に延び、第３方向に離間して並ぶ。第２方向は、第１方向と交差する。第３方向は、第１方向及び第２方向と交差する。この例では、複数の導電部２０ａのそれぞれが、Ｙ軸方向に延び、Ｘ軸方向に離間して並ぶ。すなわち、この例では、第１方向は、Ｚ軸方向である。第２方向は、Ｙ軸方向である。第３方向は、Ｘ軸方向である。
【００１３】
有機発光層３０は、例えば、光透過性を有する。有機発光層３０は、例えば、透明である。有機発光層３０は、第１電極１０と第２電極２０との間に設けられる。
【００１４】
絶縁層４０は、例えば、光透過性を有する。絶縁層４０は、例えば、透明である。絶縁層４０は、第１電極１０と有機発光層３０との間に設けられる。絶縁層４０は、複数の絶縁部４０ａを含む。複数の絶縁部４０ａのそれぞれは、第４方向Ｄ４に延び、第５方向Ｄ５に離間して並ぶ。第４方向Ｄ４は、Ｘ軸方向及びＹ軸方向に平行な平面（例えば上面１０ａ）と平行である。第４方向Ｄ４は、Ｙ軸方向に対して傾斜する。第５方向Ｄ５は、Ｘ軸方向及びＹ軸方向に平行な平面と平行で第４方向Ｄ４と交差する。この例では、第４方向Ｄ４及び第５方向Ｄ５は、上面１０ａに対して平行である。第５方向Ｄ５は、第４方向Ｄ４に対して垂直な方向である。
【００１５】
実施形態においては、第１電極１０の上面１０ａと平行な平面（Ｘ−Ｙ平面）に投影したときに、複数の絶縁部４０ａのそれぞれは、複数の導電部２０ａのそれぞれに対して斜めに配置される。すなわち、Ｙ軸方向と第４方向Ｄ４との間の角度をθ０としたときに、角度θ０は、０度＜θ０＜９０度の範囲である。角度θ０は、例えば、５度以上８５度以下であることがより好ましい。
【００１６】
ここで、後述の図４（ａ）及び図４（ｂ）に表すように、第２電極（陰極）として、複数の導電部を形成するときに、パターニング用のマスク（以下、メタルマスクという）が用いられる。例えば、ストライプ状の複数の絶縁部（隔壁ともいう）に対して、ストライプ状の複数の導電部（第２電極）を垂直に配置し、格子状に形成する参考例がある。この場合、長尺のメタルマスクが用いられる。メタルマスクは、複数の絶縁部のそれぞれに対して垂直な方向に配置される。メタルマスクは、複数の絶縁部の配列方向（Ｙ軸方向）に長く、複数の絶縁部の延在方向（Ｘ軸方向）に短い。複数の絶縁部のそれぞれの間には溝が形成されている。このため、溝の部分でメタルマスクが短手方向（Ｘ軸方向）によれる（捩れる）場合があった。メタルマスクがよれると、有機発光層と接触し、歩留まりを低下させる可能性がある。
【００１７】
歩留まりの低下を抑制するために、複数の絶縁部のピッチを小さくする別の参考例がある。この別の参考例によれば、発光しない複数の絶縁部の面積が増加するため、発光面積率が低下してしまう。
【００１８】
実施形態によれば、複数の絶縁部４０ａのそれぞれは、複数の導電部２０ａのそれぞれに対して傾斜している。つまり、第２電極２０の形成時において、メタルマスクは、メタルマスクに対して複数の絶縁部４０ａが傾いた状態で配置される。これにより、隣り合う２つの絶縁部４０ａの間において絶縁部４０ａと重ならないメタルマスクのＹ軸方向の長さを短くできる。これにより、メタルマスクのよれを低減することができる。これにより、複数の絶縁部のピッチを小さくすることなく、歩留まりの低下を抑制することができる。これにより、生産性を高くすることができる。
【００１９】
以下、実施形態に係る有機電界発光素子１１０の構造について説明する。
絶縁層４０は、第１電極１０の上面１０ａの上に設けられる。絶縁層４０は、複数の絶縁部４０ａと、複数の第１開口部４０ｂと、を含む。複数の絶縁部４０ａのそれぞれは、上面１０ａに対して平行な第４方向Ｄ４に延び、上面１０ａに対して平行で第４方向Ｄ４に対して交差する第５方向Ｄ５に離間して並ぶ。
【００２０】
複数の第１開口部４０ｂのそれぞれは、複数の絶縁部４０ａのそれぞれの間に位置する。この例では、複数の第１開口部４０ｂのそれぞれが、第４方向Ｄ４に延び、第５方向Ｄ５に離間して並ぶ。複数の第１開口部４０ｂのそれぞれは、例えば、溝状である。複数の第１開口部４０ｂのそれぞれは、第１電極１０の一部を露呈させる。この例では、複数の第１開口部４０ｂのそれぞれにより、第１電極１０の複数の部分が露呈される。以下では、第１電極１０のうちの第１開口部４０ｂによって露呈された一部を、露呈部１０ｐと称す。
【００２１】
有機発光層３０は、第１電極１０の上面１０ａの上に設けられる。この例では、有機発光層３０は、絶縁層４０の上に設けられる。すなわち、絶縁層４０は、第１電極１０と有機発光層３０との間に設けられる。有機発光層３０は、例えば、絶縁層４０の全体の上に設けられる。有機発光層３０は、第１部分３０ａと、第２部分３０ｂと、を含む。第１部分３０ａは、複数の絶縁部４０ａのそれぞれの間に位置し、第１電極１０の複数の露呈部１０ｐのそれぞれの上に設けられる。第２部分３０ｂは、絶縁層４０の複数の絶縁部４０ａのそれぞれの上に設けられる。
【００２２】
第１部分３０ａは、第１領域ｒ１と、第２領域ｒ２と、を含む。第１領域ｒ１は、複数の導電部２０ａのそれぞれと重なる。第２領域ｒ２は、複数の導電部２０ａのそれぞれの間に位置し、複数の導電部２０ａのそれぞれと重ならない。第２部分３０ｂは、第３領域ｒ３と、第４領域ｒ４と、を含む。第３領域ｒ３は、複数の導電部２０ａのそれぞれと重なる。第４領域ｒ４は、複数の導電部２０ａのそれぞれの間に位置し、複数の導電部２０ａのそれぞれと重ならない。
【００２３】
有機発光層３０の厚さ（Ｚ軸方向に沿う長さ）は、絶縁層４０（絶縁部４０ａ）の厚さよりも薄い。有機発光層３０の露呈部１０ｐの上に設けられた第１部分３０ａの上面３０ｕと第１電極１０の上面１０ａとの間のＺ軸方向の距離は、絶縁層４０の絶縁部４０ａの上面４０ｕと第１電極１０の上面１０ａとの間のＺ軸方向の距離よりも短い。すなわち、上面３０ｕは、上面４０ｕよりも下に位置する。
【００２４】
第２電極２０は、有機発光層３０の上に設けられる。第２電極２０は、複数の導電部２０ａと、複数の第２開口部２０ｂと、を含む。この例では、複数の導電部２０ａのそれぞれが、Ｙ軸方向に延び、Ｘ軸方向に離間して並ぶ。複数の導電部２０ａのそれぞれは、上面１０ａに対して平行な平面（Ｘ−Ｙ平面）に投影したときに、複数の露呈部１０ｐのうちのいずれかと重なる位置に配置される。
【００２５】
複数の第２開口部２０ｂのそれぞれは、複数の導電部２０ａのそれぞれの間に配置される。複数の第２開口部２０ｂのそれぞれは、例えば、Ｙ軸方向に延びる溝状である。複数の第２開口部２０ｂのそれぞれは、Ｙ軸方向に延び、Ｘ軸方向に離間して並ぶ。この例では、第２電極２０がＹ軸方向に延びるストライプ状であり、絶縁層４０がＹ軸方向に対して傾斜した第４方向Ｄ４に延びるストライプ状である。つまり、絶縁層４０は、第２電極２０に対して傾斜して配置される。
【００２６】
有機発光層３０は、複数の第１開口部４０ｂのそれぞれを介して第１電極１０と電気的に接続される。有機発光層３０は、例えば、複数の第１開口部４０ｂのそれぞれを介して第１電極１０の複数の露呈部１０ｐのそれぞれに接する。これにより、有機発光層３０が、第１電極１０と電気的に接続される。
【００２７】
有機発光層３０は、第２電極２０と電気的に接続される。有機発光層３０は、例えば、複数の導電部２０ａのそれぞれに接する。これにより、有機発光層３０が、第２電極２０と電気的に接続される。なお、本願明細書において、「電気的に接続」には、直接接触する場合のほか、間に他の導電部材などが介在する場合も含む。
【００２８】
第１電極１０と第２電極２０とを用いて有機発光層３０に電流を流す。これにより、有機発光層３０が発光する。有機発光層３０は、例えば、電流が流れた場合に、電子と正孔とを再結合させ、励起子を生成する。有機発光層３０は、例えば、励起子が放射失活する際の光の放出を利用して発光する。
【００２９】
有機電界発光素子１１０では、有機発光層３０のうちの露呈部１０ｐと導電部２０ａとの間の部分が、発光領域ＥＡとなる。この例において、有機発光層３０は、複数の露呈部１０ｐのそれぞれと複数の導電部２０ａのそれぞれとの間の複数の発光領域ＥＡを含む。絶縁層４０は、例えば、第２電極２０の形成の際に、パターニング用のマスク（例えばメタルマスク）と有機発光層３０の発光領域ＥＡとなる部分との接触を抑制する接触防止層として機能する。絶縁層４０を設けることにより、例えば、有機電界発光素子１１０の歩留まりを向上できる。
【００３０】
発光領域ＥＡから発せられた発光ＥＬは、第１電極１０を介して、有機電界発光素子１１０の外部に出射する。発光ＥＬの一部は、第２電極２０で反射し、有機発光層３０及び第１電極１０を介して外部に出射する。すなわち、有機電界発光素子１１０は、片面発光型である。
【００３１】
また、有機電界発光素子１１０では、外部から入射する外光ＯＬが、複数の導電部２０ａのそれぞれの間の部分の第１電極１０、有機発光層３０及び絶縁層４０を透過する。このように、有機電界発光素子１１０は、発光ＥＬを出射させつつ、外部から有機電界発光素子１１０に入射する外光ＯＬを透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００３２】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００３３】
図３は、第１の実施形態に係る有機電界発光素子の一部を例示する模式的断面図である。  
図３に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００３４】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。
【００３５】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。
【００３６】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。
【００３７】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００３８】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。
【００３９】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。
【００４０】
または、第１電極１０を光反射性の電極と光透過性の電極（例えば透明電極）との積層構造とし、ストライプ状または、格子状にパターニングし、第２電極２０を光透過性の電極（例えば透明電極）としてもよい。これにより、トップエミッション型の有機電界発光素子１１０とすることが可能となる。
【００４１】
なお、第１電極１０を陰極とし、第２電極２０を陽極とし、第２層３２を電子注入層または電子輸送層として機能させ、第３層３３を正孔注入層または正孔輸送層として機能させてもよい。
【００４２】
絶縁層４０には、例えば、ポリイミド樹脂、アクリル樹脂などの絶縁性の樹脂材料や、シリコン酸化膜（例えばＳｉＯ２）、シリコン窒化膜（例えばＳｉＮ）、または、シリコン酸窒化膜などの絶縁性の無機材料が用いられる。
【００４３】
第１電極１０の厚さ（Ｚ軸方向の長さ）は、例えば、１０ナノメートル（ｎｍ）以上５００ｎｍ以下である。より好ましくは、５０ｎｍ以上２００ｎｍ以下である。絶縁部４０ａの厚さは、例えば、１マイクロメートル（μｍ）以上１００μｍ以下である。有機発光層３０の厚さは、例えば、５０ｎｍ以上５００ｎｍ以下である。第２電極２０（導電部２０ａ）の厚さは、例えば、１０ｎｍ以上３００ｎｍ以下である。絶縁部４０ａの幅Ｗ１は、例えば、１μｍ以上１５００μｍ以下である。複数の絶縁部４０ａのそれぞれの間の距離Ｐｔ１（以下、ピッチＰｔ１という）は、例えば、１０μｍ以上１５ｍｍ以下である。より好ましくは、１０μｍ以上７５００μｍ以下である。ピッチＰｔ１は、例えば、隣り合う２つの絶縁部４０ａの第５方向Ｄ５の中心間の距離である。導電部２０ａの幅Ｗ２（Ｘ軸方向の長さ）は、例えば、５０μｍ以上５００μｍ以下である。より好ましくは、７５μｍ以上３００μｍ以下である。発光領域ＥＡが設けられた範囲の面積に対する、第２電極２０が設けられていない部分の面積の割合を示す開口率は、０．５以上０．９以下であることが好ましい。開口率は、０．５５以上０．８５以下であることがより好ましい。複数の導電部２０ａのそれぞれの間の距離Ｐｔ２（以下、ピッチＰｔ２という）は、例えば、隣り合う２つの導電部２０ａのＸ軸方向の中心間の距離である。
【００４４】
なお、第２電極２０のパターン形状は、例えば、櫛刃状でもよい。すなわち、第２電極２０は、Ｙ軸方向に延びＸ軸方向に離間して並ぶ複数の導電部２０ａと、各導電部２０ａをつなぐ部分と、を含んでもよい。
【００４５】
図４（ａ）及び図４（ｂ）は、有機電界発光素子の一部を例示する模式的平面図である。  
図４（ａ）は、参考例に係る有機電界発光素子の一部を例示する模式的平面図である。
図４（ｂ）は、第１の実施形態に係る有機電界発光素子の一部を例示する模式的平面図である。
【００４６】
図４（ａ）に表すように、参考例に係る有機電界発光素子１９９においては、第２電極２０として、複数の導電部２０ａを形成するときに、パターニング用のメタルマスクＭ１が用いられる。有機電界発光発光素子１９９は、ストライプ状の複数の絶縁部４０ａに対して、ストライプ状の複数の導電部２０ａが垂直に配置され、格子状に形成される。メタルマスクＭ１は、長尺の形状とされる。メタルマスクＭ１は、複数の絶縁部４０ａのそれぞれに対して垂直な方向に配置される。メタルマスクＭ１は、複数の絶縁部４０ａの配列方向（Ｙ軸方向）に長く、複数の絶縁部４０ａの延在方向（Ｘ軸方向）に短い。複数の絶縁部４０ａのそれぞれの間には溝が形成されている。このため、溝の部分でメタルマスクＭ１が短手方向Ｔ１（Ｘ軸方向）によれる（捩れる）。メタルマスクＭ１がよれると、例えば、有機発光層３０と接触し、歩留まりを低下させる可能性がある。
【００４７】
実施形態に係る有機電界発光素子１１０においては、図４（ｂ）に表すように、複数の絶縁部４０ａのそれぞれが、複数の導電部２０ａのそれぞれに対して傾斜している。複数の絶縁部４０ａのそれぞれは、複数の導電部２０ａのそれぞれに対して斜めに配置される。すなわち、Ｙ軸方向と第４方向Ｄ４との間の角度をθ０としたときに、角度θ０は、０度＜θ０＜９０度の範囲である。角度θ０は、例えば、５度以上８５度以下であることがより好ましい。これにより、第２電極２０の形成時において、メタルマスクＭ１は、メタルマスクＭ１に対して複数の絶縁部４０ａが傾いた状態で配置される。
【００４８】
図４（ａ）の有機電界発光素子１９９の場合、隣り合う２つの絶縁部４０ａの間において絶縁部４０ａと重ならないメタルマスクＭ１のＹ軸方向の長さは、Ｗｔ１となる。一方、図４（ｂ）の有機電界発光素子１１０の場合、隣り合う２つの絶縁部４０ａの間において絶縁部４０ａと重ならないメタルマスクＭ１のＹ軸方向の長さは、Ｗｔ２となる。つまり、Ｗｔ２は、Ｗｔ１と比べて短くなる。これにより、複数の絶縁部４０ａのピッチを小さくするのと同じような効果を得ることができる。これにより、メタルマスクＭ１のよれを低減することができる。
【００４９】
このように、実施形態によれば、メタルマスクのよれを低減できるため、メタルマスクと有機発光層との接触を抑制できる。これにより、歩留まりの低下を抑制し、生産性を高くすることができる。高生産性の有機電界発光素子を提供することができる。
実施形態によれば、複数の絶縁部のピッチを小さくしていない。このため、発光面積率を低下させることもない。すなわち、発光面積率を低下させることなく、生産性を高くできる。
【００５０】
実施形態のように、複数の絶縁部４０ａに対して、複数の導電部２０ａを斜めに配置することで、垂直に配置した場合と比べて、例えば、干渉によるぼけ（にじみ）が見えにくいという効果を得ることができる。
【００５１】
（第２の実施形態）
図５は、第２の実施形態に係る有機電界発光素子の一部を例示する模式的平面図である。  
図５は、第２の実施形態に係る有機電界発光素子の一部をＸ−Ｙ平面に投影したときの投影像を表す。  
実施形態に係る有機電界発光素子１１１は、第１電極１０と、第２電極２０と、有機発光層３０と、絶縁層４０と、を含む。この例では、第１電極１０と、有機発光層３０と、の図示を省略する。
【００５２】
第２電極２０は、複数の導電部２０ａとして、第１導電部２０ａ１と、第１導電部２０ａ１と離間して並ぶ第２導電部２０ａ２と、を含む。絶縁層４０は、複数の絶縁部４０ａとして、第１絶縁部４０ａ１と、第１絶縁部４０ａ１と離間して並ぶ第２絶縁部４０ａ２と、を含む。
【００５３】
第１電極１０の上面１０ａと平行な平面（Ｘ−Ｙ平面）に投影したときにおいて、距離Ｐｔ１（ピッチＰｔ１）と、距離Ｐｔ２（ピッチＰｔ２）と、角度θ１と、を定義する。ピッチＰｔ１は、第１絶縁部４０ａ１の第５方向Ｄ５における幅の中心と、第２絶縁部４０ａ２の第５方向Ｄ５における幅の中心との間の距離である。ピッチＰｔ２は、第１導電部２０ａ１のＸ軸方向における幅の中心と、第２導電部２０ａ２のＸ軸方向における幅の中心との間の距離である。角度θ１は、Ｙ軸方向と第５方向Ｄ５との間の角度である。なお、この例では、Ｘ軸方向と第４方向Ｄ４との間の角度もθ１となる。
【００５４】
実施形態においては、
Ｐｔ１／ｃｏｓθ１≦Ｐｔ２・ｔａｎθ１  …（１）
である。
【００５５】
すなわち、図５に表すように、Ｐｔ１／ｃｏｓθ１＝Ｌ１、Ｐｔ２・ｔａｎθ１＝Ｌ２、である。これより、条件（１）は、Ｌ１≦Ｌ２、の関係を満たすことを意味する。この条件（１）を満たすと、長手方向（Ｙ軸方向）において、メタルマスクＭ１が複数の絶縁部４０ａのいずれかと重なる。これにより、メタルマスクＭ１のよれをさらに効果的に低減することができ、より好ましい。
【００５６】
（第３の実施形態）
図６は、第３の実施形態に係る有機電界発光素子の一部を例示する模式的平面図である。  
図６は、第３の実施形態に係る有機電界発光素子の一部をＸ−Ｙ平面に投影したときの投影像を表す。
実施形態に係る有機電界発光素子１１２は、第１電極１０と、第２電極２０と、有機発光層３０と、絶縁層４０と、を含む。この例では、第１電極１０と、有機発光層３０と、の図示を省略する。
【００５７】
第２電極２０は、複数の導電部２０ａとして、第１導電部２０ａ１と、第１導電部２０ａ１と離間して並ぶ第２導電部２０ａ２と、を含む。絶縁層４０は、複数の絶縁部４０ａとして、第１絶縁部４０ａ１と、第１絶縁部４０ａ１と離間して並ぶ第２絶縁部４０ａ２と、を含む。
【００５８】
第１電極１０の上面１０ａと平行な平面（Ｘ−Ｙ平面）に投影したときにおいて、ピッチＰｔ１と、ピッチＰｔ２と、角度θ１と、を定義する。ピッチＰｔ１は、第１絶縁部４０ａ１の第５方向Ｄ５における幅の中心と、第２絶縁部４０ａ２の第５方向Ｄ５における幅の中心との間の距離である。ピッチＰｔ２は、第１導電部２０ａ１のＸ軸方向における幅の中心と、第２導電部２０ａ２のＸ軸方向における幅の中心との間の距離である。角度θ１は、Ｙ軸方向と第５方向Ｄ５との間の角度である。なお、この例では、Ｘ軸方向と第４方向Ｄ４との間の角度もθ１となる。
【００５９】
実施形態においては、
Ｐｔ２≧Ｐｔ１                                  …（２）
Ｐｔ１／ｃｏｓθ１−Ｐｔ２・ｔａｎθ１≦Ｐｔ２  …（３）
を満たす。
【００６０】
すなわち、図６に表すように、Ｐｔ１／ｃｏｓθ１＝Ｌ１、Ｐｔ２・ｔａｎθ１＝Ｌ２、であることから、Ｌ１−Ｌ２＝Ｌ３、である。これより、条件（３）は、Ｌ３≦Ｐｔ２、の関係を満たすことを意味する。これらの条件（２）、（３）を満たすと、長手方向（Ｙ軸方向）において、メタルマスクＭ１が絶縁部４０ａと重ならない領域ｒの縦と横の比が１：１以下となる。これにより、メタルマスクＭ１のよれをさらに効果的に低減することができ、より好ましい。
【００６１】
（第４の実施形態）
図７は、第４の実施形態に係る有機電界発光素子を例示する模式的平面図である。  
図８は、第４の実施形態に係る有機電界発光素子を例示する模式的断面図である。  
図８は、図７のＣ１−Ｃ２線断面図である。
【００６２】
実施形態に係る有機電界発光素子１１３は、補助配線層５０をさらに含む。
【００６３】
積層体ＳＢは、第１電極１０と、第２電極２０と、有機発光層３０と、絶縁層４０と、を含み、さらに、補助配線層５０を含む。補助配線層５０は、第１電極１０の上面１０ａに対して平行な平面に沿って延在する。すなわち、補助配線層５０は、Ｘ−Ｙ平面内に延在する。この例では、補助配線層５０は、第１電極１０の上面１０ａの上に設けられる。補助配線層５０は、例えば、第１電極１０と絶縁層４０との間に設けられる。
【００６４】
補助配線層５０は、複数の補助配線部５０ａを含む。複数の補助配線部５０ａのそれぞれは、第１電極１０と、複数の絶縁部４０ａのそれぞれとの間に設けられる。複数の補助配線部５０ａのそれぞれは、例えば、第４方向Ｄ４に延び、第５方向Ｄ５に離間して並ぶ。すなわち、複数の補助配線部５０ａのそれぞれは、複数の導電部２０ａのそれぞれに対して傾斜している。複数の補助配線部５０ａのそれぞれの間隔は、例えば、一定である。複数の補助配線部５０ａのそれぞれは、第１電極１０と電気的に接続される。複数の補助配線部５０ａのそれぞれは、例えば、第１電極１０に接している。
【００６５】
補助配線層５０の導電率は、第１電極１０の導電率よりも高い。補助配線層５０は、例えば、光反射性を有する。補助配線層５０の光反射率は、第１電極１０の光反射率よりも高い。補助配線層５０は、例えば、金属配線である。補助配線層５０は、例えば、第１電極１０に流れる電流を伝達する補助電極として機能する。これにより、有機電界発光素子１１３では、例えば、第１電極１０の上面１０ａと平行な方向に流れる電流量を、有機電界発光素子１１０に比べて均一にできる。例えば、面内の発光輝度をより均一にできる。
【００６６】
補助配線層５０は、例えば、Ｍｏ、Ｔａ、Ｎｂ、Ａｌ、Ｎｉ及びＴｉよりなる群から選択された、少なくともいずれかの元素を含む。補助配線層５０は、例えば、この群から選択された元素を含む混合膜とすることができる。補助配線層５０は、それらの元素を含む積層膜とすることができる。補助配線層５０には、例えば、Ｎｂ／Ｍｏ／Ａｌ／Ｍｏ／Ｎｂの積層膜を用いることができる。補助配線層５０は、例えば、第１電極１０の電位降下を抑制する補助電極として機能する。補助配線層５０は、電流供給のためのリード電極として機能することができる。
【００６７】
有機電界発光素子１１３は、第１電極１０を含む。第１電極１０は、例えば、矩形状である。第１電極１０は、第１端ｅｄ１と、第２端ｅｄ２と、を含む。第２端ｅｄ２は、Ｙ軸方向及びＸ軸方向において第１端ｅｄ１と離間する。つまり、第１端ｅｄ１と第２端ｅｄ２とは、対角線上に位置する。Ｙ軸方向と第５方向Ｄ５との間の角度をθ１とする。この例では、Ｘ軸方向と第４方向Ｄ４との間の角度もθ１となる。第１端ｅｄ１と第２端ｅｄ２とを結ぶ線分Ｄｇと、Ｘ軸方向との間の角度をθ２とする。
【００６８】
実施形態においては、
５度≦θ１≦θ２  …（４）
である。
【００６９】
有機電界発光素子１１３は、第１パッド部６０と、第２パッド部７０と、をさらに含む。第１パッド部６０は、第１電極１０及び補助配線層５０と電気的に接続される。第１パッド部６０は、第１配線６０ａと、第２配線６０ｂと、を含む。第２配線６０ｂは、Ｘ軸方向において第１配線６０ａと離間する。第２パッド部７０は、第２電極２０と電気的に接続される。第２パッド部７０は、第３配線７０ａと、第４配線７０ｂと、を含む。第４配線７０ｂは、Ｙ軸方向において第３配線７０ａと離間する。第１配線６０ａと第２配線６０ｂとの間、及び、第３配線７０ａと第４配線７０ｂとの間に第１電極１０が設けられている。
【００７０】
すなわち、第１配線６０ａは、第１電極１０のＹ軸方向に沿う両端のうちの一端の側に設けられ、第２配線６０ｂは、他端の側に設けられる。第１電極１０は、第１端ｅｄ１と、第１端ｅｄ１の対角線上に位置する第２端ｅｄ２と、を有する。第３配線７０ａは、第１電極１０のＸ軸方向に沿う両端のうちの一端の側に設けられ、第４配線７０ｂは、他端の側に設けられる。第３配線７０ａ及び第４配線７０ｂのそれぞれの長さＨ１は、第１配線６０ａ及び第２配線６０ｂのそれぞれの長さＶ１よりも長い。
【００７１】
ここで、条件（４）を満たすと、図７に表すように、複数の補助配線部５０ａのそれぞれが、第１パッド部６０のいずれか（第１配線６０ａまたは第２配線６０ｂ）に必ず接続される。
【００７２】
複数の補助配線部５０ａのそれぞれは、複数の導電部２０ａのそれぞれに対して斜めに配置される。このとき、第１電極１０の中心付近に位置する補助配線部５０ａは、直接第１パッド部６０に接続できない場合があった。このような場合、補助配線部５０ａと第１パッド部６０との間を接続するための中間配線（図示せず）がさらに必要とされる。中間配線を設けることで、発光領域が小さくなる可能性がある。また、陽極側の中間配線と陰極側の導電部との間の絶縁が不十分だと、これらの間でショートしてしまう可能性がある。これにより、歩留まりを低下させる場合がある。
【００７３】
また、中間配線を設けない場合には、第１パッド部６０と直接接続できない補助配線部５０ａは、第１パッド部６０と第１電極１０を介してのみ接続される。このため、電位降下が起こり輝度が不均一となる可能性がある。
【００７４】
実施形態によれば、複数の補助配線部５０ａの全てを、第１パッド部６０に直接接続させることができる。このため、中間配線を設ける必要がない。このため、発光領域が小さくなることがない。絶縁不良によるショートを起こすこともない。歩留まりを低下させることもない。さらに、輝度が不均一になることもなく、輝度の面内均一性を確保することができる。
【００７５】
ここで、第４の実施形態は、第２の実施形態（図５）または第３の実施形態（図６）と組み合わせて実施してもよい。例えば、第２の実施形態と第４の実施形態を組み合わせる場合、条件（１）及び条件（４）、すなわち、
Ｐｔ１／ｃｏｓθ１≦Ｐｔ２・ｔａｎθ１      …（１）
５度≦θ１≦θ２                            …（４）
を同時に満たせばよい。
【００７６】
第３の実施形態と第４の実施形態を組み合わせる場合、条件（２）、条件（３）及び条件（４）、すなわち、
Ｐｔ２≧Ｐｔ１                                  …（２）
Ｐｔ１／ｃｏｓθ１−Ｐｔ２・ｔａｎθ１≦Ｐｔ２  …（３）
５度≦θ１≦θ２                                …（４）
を同時に満たせばよい。
【００７７】
図９は、実施形態に係る別の第２電極を例示する模式的平面図である。  
実施形態に係る第２電極２１は、複数の導電部２０ａに加え、複数の交差導電部２０ｃをさらに含む。複数の交差導電部２０ｃのそれぞれは、複数の導電部２０ａのそれぞれと交差する。この例では、複数の交差導電部２０ｃのそれぞれは、Ｘ軸方向に延び、Ｙ軸方向に並ぶ。第２電極２１は、複数の導電部２０ａと、複数の第２開口部２０ｂと、複数の交差導電部２０ｃと、複数の第２開口部２０ｄと、を含む。すなわち、第２電極２１は、これらにより格子状に形成される。
【００７８】
このように、実施形態は、第２電極がストライプ状の場合に限定されない。実施形態は、第２電極が格子状の場合においても同様に適用することができる。
【００７９】
（第５の実施形態）
図１０は、第５の実施形態に係る有機電界発光素子を例示する模式的平面図である。  
実施形態に係る有機電界発光素子１１４は、第１電極１０と、第２電極２０と、有機発光層３０と、補助配線層５０と、を含む。本実施形態のように、絶縁層４０を含まない構成としてもよい。
【００８０】
第１電極１０は、上面１０ａを有する。第１電極１０は、光透過性を有する。第１電極１０は、例えば、透明電極である。
【００８１】
第２電極２０は、例えば、光反射性を有する。第２電極２０の光反射率は、第１電極１０の光反射率よりも高い。第２電極２０は、Ｚ軸方向において第１電極１０と離間する。第２電極２０は、複数の導電部２０ａを含む。複数の導電部２０ａのそれぞれは、Ｙ軸方向に延び、Ｘ軸方向に離間して並ぶ。
【００８２】
有機発光層３０は、例えば、光透過性を有する。有機発光層３０は、例えば、透明である。有機発光層３０は、第１電極１０と第２電極２０との間に設けられる。
【００８３】
補助配線層５０は、例えば、光反射性を有する。補助配線層５０は、第１電極１０と有機発光層３０との間に設けられる。補助配線層５０は、複数の補助配線部５０ａを含む。複数の補助配線部５０ａのそれぞれは、第４方向Ｄ４に延び、第５方向Ｄ５に離間して並ぶ。第４方向Ｄ４は、Ｘ軸方向及びＹ軸方向に平行な平面（例えば上面１０ａ）と平行である。第４方向Ｄ４は、Ｙ軸方向に対して傾斜する。第５方向Ｄ５は、Ｘ軸方向及びＹ軸方向に平行な平面と平行で第４方向Ｄ４と交差する。この例では、第４方向Ｄ４及び第５方向Ｄ５は、上面１０ａに対して平行である。第５方向Ｄ５は、第４方向Ｄ４に対して垂直な方向である。
【００８４】
実施形態において、第１電極１０の上面１０ａと平行な平面（Ｘ−Ｙ平面）に投影したときに、複数の補助配線部５０ａのそれぞれは、複数の導電部２０ａのそれぞれに対して傾斜している。複数の補助配線部５０ａのそれぞれは、複数の導電部２０ａのそれぞれに対して斜めに配置される。
【００８５】
有機電界発光素子１１４は、第１電極１０を含む。第１電極１０は、例えば、矩形状である。第１電極１０は、第１端ｅｄ１と、第２端ｅｄ２と、を含む。第２端ｅｄ２は、Ｙ軸方向及びＸ軸方向において第１端ｅｄ１と離間する。つまり、第１端ｅｄ１と第２端ｅｄ２とは、対角線上に位置する。Ｙ軸方向と第５方向Ｄ５との間の角度をθ１とする。この例では、Ｘ軸方向と第４方向Ｄ４との間の角度もθ１となる。第１端ｅｄ１と第２端ｅｄ２とを結ぶ線分Ｄｇと、Ｘ軸方向との間の角度をθ２とする。
【００８６】
実施形態においては、
５度≦θ１≦θ２  …（４）
である。
【００８７】
有機電界発光素子１１４は、第１パッド部６０と、第２パッド部７０と、をさらに含む。第１パッド部６０は、第１電極１０及び補助配線層５０と電気的に接続される。第１パッド部６０は、第１配線６０ａと、第２配線６０ｂと、を含む。第２配線６０ｂは、Ｘ軸方向において第１配線６０ａと離間する。第２パッド部７０は、第２電極２０と電気的に接続される。第２パッド部７０は、第３配線７０ａと、第４配線７０ｂと、を含む。第４配線７０ｂは、Ｙ軸方向において第３配線７０ａと離間する。第１配線６０ａと第２配線６０ｂとの間、及び、第３配線７０ａと第４配線７０ｂとの間に第１電極１０が設けられている。
【００８８】
すなわち、第１配線６０ａは、第１電極１０のＹ軸方向に沿う両端のうちの一端の側に設けられ、第２配線６０ｂは、他端の側に設けられる。第１電極１０は、第１端ｅｄ１と、第１端ｅｄ１の対角線上に位置する第２端ｅｄ２と、を有する。第３配線７０ａは、第１電極１０のＸ軸方向に沿う両端のうちの一端の側に設けられ、第４配線７０ｂは、他端の側に設けられる。第３配線７０ａ及び第４配線７０ｂのそれぞれの長さＨ１は、第１配線６０ａ及び第２配線６０ｂのそれぞれの長さＶ１よりも長い。
【００８９】
ここで、条件（４）を満たすと、図１０に表すように、複数の補助配線部５０ａのそれぞれが、第１パッド部６０のいずれか（第１配線６０ａまたは第２配線６０ｂ）に必ず接続される。
【００９０】
複数の補助配線部５０ａのそれぞれは、複数の導電部２０ａのそれぞれに対して斜めに配置される。このとき、第１電極１０の中心付近に位置する補助配線部５０ａは、直接第１パッド部６０に接続できない場合があった。このような場合、補助配線部５０ａと第１パッド部６０との間を接続するための中間配線（図示せず）がさらに必要とされる。中間配線を設けることで、発光領域が小さくなる可能性がある。また、陽極側の中間配線と陰極側の導電部との間の絶縁が不十分だと、これらの間でショートしてしまう可能性がある。これにより、歩留まりを低下させる場合がある。
【００９１】
また、中間配線を設けない場合には、第１パッド部６０と直接接続できない補助配線部５０ａは、第１パッド部６０と第１電極１０を介してのみ接続される。このため、電位降下が起こり輝度が不均一となる可能性がある。
【００９２】
実施形態によれば、複数の補助配線部５０ａの全てを、第１パッド部６０に直接接続させることができる。このため、中間配線を設ける必要がない。このため、発光領域が小さくなることがない。絶縁不良によるショートを起こすこともない。歩留まりを低下させることもない。さらに、輝度が不均一になることもなく、輝度の面内均一性を確保することができる。
【００９３】
実施形態のように、複数の補助配線部５０ａに対して、複数の導電部２０ａを斜めに配置することで、垂直に配置した場合と比べて、例えば、干渉によるぼけ（にじみ）が見えにくいという効果を得ることができる。
【００９４】
（第６の実施形態）
図１１は、第６の実施形態に係る照明装置を例示する模式的断面図である。  
実施形態に係る照明装置２１０は、例えば、有機電界発光素子１３０と、電源部２０１と、を含む。有機電界発光素子１３０は、第１基板８１と、第２基板８２と、シール部８５と、をさらに含む。
【００９５】
図１１に表すように、第１電極１０は、第１基板８１の上に設けられる。積層体ＳＢは、第１基板８１の上に設けられる。第１基板８１は、光透過性を有する。第２基板８２は、積層体ＳＢの上に設けられ、第１基板８１と対向する。第２基板８２は、光透過性を有する。この例において、積層体ＳＢの構成は、有機電界発光素子１１０に関して説明した構成と同じである。積層体ＳＢの構成は、有機電界発光素子１１１〜１１４に関して説明した構成でもよい。
【００９６】
シール部８５は、例えば、第１基板８１及び第２基板８２の外縁に沿って環状に設けられ、第１基板８１と第２基板８２とを接着する。これにより、第１基板８１と第２基板８２とによって、積層体ＳＢが封止される。有機電界発光素子１３０では、第１基板８１と第２基板８２との間のＺ軸方向の距離をシール部８５によって規定している。この構成は、例えば、シール部８５に粒状のスペーサ（図示せず）を含めることによって実現できる。例えば、シール部８５に粒状の複数のスペーサを分散させ、複数のスペーサの径によって、第１基板８１と第２基板８２との間の距離が規定される。
【００９７】
有機電界発光素子１３０において、シール部８５の厚さ（Ｚ軸方向に沿う長さ）は、例えば、１μｍ以上１００μｍ以下である。より好ましくは、例えば、５μｍ以上２０μｍ以下である。これにより、例えば、水分の浸入などを抑えることができる。シール部８５の厚さは、例えば、シール部８５に分散させるスペーサの径と実質的に同じである。
【００９８】
有機電界発光素子において、第２基板８２に積層体ＳＢを収容する凹部を設ける構成がある。この構成では、第２基板８２の形成が難しくなる。例えば、有機電界発光素子のコストアップを招く。
【００９９】
これに対して、本実施形態に係る有機電界発光素子１３０では、第１基板８１と第２基板８２との間の距離をシール部８５で規定している。これにより、例えば、平板状の第２基板８２を用いることができる。例えば、第２基板８２の形成を容易にできる。有機電界発光素子１３０のコストアップを抑えることができる。
【０１００】
積層体ＳＢと第２基板８２との間の空間には、例えば、不活性ガスなどが充填される。積層体ＳＢと第２基板８２との間に、乾燥剤などを設けてもよい。積層体ＳＢと第２基板８２との間の空間は、例えば、空気層でもよい。積層体ＳＢと第２基板８２との間の空間には、例えば、液状のアクリル系樹脂やエポキシ系樹脂などを充填してもよい。アクリル系樹脂やエポキシ系樹脂には乾燥材として酸化カルシウムや酸化バリウムを添加させてもよい。
【０１０１】
第１基板８１及び第２基板８２には、例えば、ガラス基板、または、樹脂基板などが用いられる。シール部８５には、例えば、紫外線硬化樹脂などが用いられる。
【０１０２】
電源部２０１は、第１電極１０と第２電極２０とに電気的に接続される。電源部２０１は、第１電極１０及び第２電極２０を介して有機発光層３０に電流を供給する。  
実施形態によれば、高生産性の照明装置を提供することができる。
【０１０３】
（第７の実施形態）
図１２（ａ）及び図１２（ｂ）は、第７の実施形態に係る照明システムを例示する模式図である。  
図１２（ａ）に表すように、実施形態に係る照明システム３１１は、例えば、有機電界発光素子１３０と、制御部３０１と、を含む。
【０１０４】
制御部３０１は、複数の有機電界発光素子１３０のそれぞれと電気的に接続され、複数の有機電界発光素子１３０のそれぞれの点灯・消灯を制御する。制御部３０１は、例えば、複数の有機電界発光素子１３０のそれぞれの第１電極及び第２電極と電気的に接続される。これにより、制御部３０１は、複数の有機電界発光素子１３０のそれぞれの点灯・消灯を個別に制御する。
【０１０５】
図１２（ｂ）に表すように、照明システム３１２では、複数の有機電界発光素子１３０のそれぞれが、直列に接続されている。制御部３０１は、複数の有機電界発光素子１３０のうちの１つの有機電界発光素子１３０の第１電極と電気的に接続される。そして、制御部３０１は、複数の有機電界発光素子１３０のうちの別の１つの有機電界発光素子１３０の第２電極と電気的に接続される。これにより、制御部３０１は、複数の有機電界発光素子１３０のそれぞれの点灯・消灯をまとめて制御する。このように、制御部３０１は、複数の有機電界発光素子１３０のそれぞれの点灯・消灯を個別に制御してもよいし、まとめて制御してもよい。
実施形態によれば、高生産性の照明システムを提供することができる。
【０１０６】
このように、実施形態によれば、高生産性の有機電界発光素子、照明装置及び照明システムが提供される。
【０１０７】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【０１０８】
以上、具体例を参照しつつ、本発明の実施の形態について説明した。しかし、本発明の実施形態は、これらの具体例に限定されるものではない。例えば、有機電界発光素子に含まれる、第１電極、第２電極、有機発光層、絶縁層、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。また、各具体例のいずれか２つ以上の要素を技術的に可能な範囲で組み合わせたものも、本発明の要旨を包含する限り本発明の範囲に含まれる。
【０１０９】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１１０】
その他、本発明の思想の範疇において、当業者であれば、各種の変更例及び修正例に想到し得るものであり、それら変更例及び修正例についても本発明の範囲に属するものと了解される。
【０１１１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１２】
１０…第１電極、  １０ａ…上面、  １０ｐ…露呈部、  ２０、２１…第２電極、  ２０ａ…導電部、  ２０ｃ…交差導電部、  ２０ｂ、２０ｄ…第２開口部、  ３０…有機発光層、  ３０ａ…第１部分、  ３０ｂ…第２部分、  ３０ｕ…上面、  ３１…第１層、  ３２…第２層、  ３３…第３層、  ４０…絶縁層、  ４０ａ…絶縁部、  ４０ｂ…第１開口部、  ４０ｕ…上面、  ５０…補助配線層、  ５０ａ…補助配線部、  ６０…第１パッド部、  ６０ａ…第１配線、  ６０ｂ…第２配線、  ７０…第２パッド部、  ７０ａ…第３配線、  ７０ｂ…第４配線、  ８１…第１基板、  ８２…第２基板、  ８５…シール部、  １１０〜１１４、１３０、１９９…有機電界発光素子、  ２０１…電源部、  ２１０…照明装置、  ３０１…制御部、  ３１１、３１２…照明システム
【図１】
2016062859.tif 000003
【図２】
2016062859.tif 000004
【図３】
2016062859.tif 000005
【図４】
2016062859.tif 000006
【図５】
2016062859.tif 000007
【図６】
2016062859.tif 000008
【図７】
2016062859.tif 000009
【図８】
2016062859.tif 000010
【図９】
2016062859.tif 000011
【図１０】
2016062859.tif 000012
【図１１】
2016062859.tif 000013
【図１２】
2016062859.tif 000014